【手続補正書】
【提出日】平成31年1月17日(2019.1.17)
【手続補正１】
【補正対象書類名】特許請求の範囲
【補正対象項目名】請求項１
【補正方法】変更
【補正の内容】
【請求項１】
入力される信号に基づいて当該信号の周波数に応じた周波数の振動を発生する振動発生手段と、
シートの内部にあって振動を延設方向に伝達することが可能な振動伝達部材と、
入力される測定信号に基づいて前記振動発生手段で発生された振動を、前記振動伝達部材に伝達させることにより、前記シートに振動を発生させた際の前記測定信号の周波数値を、当該振動を測定した前記シートの測定位置に対応付けて記録した周波数情報記録手段と、
前記シートの所望位置に対応する前記測定位置の周波数値を、前記周波数情報記録手段より取得して、当該周波数値を含む出力信号を生成する出力信号生成手段と
を有し、
前記振動発生手段は、前記出力信号に基づいて発生された振動を、前記振動伝達部材に伝達させることにより、前記シートの前記所望位置に振動を発生させること
を特徴とする振動発生装置。
【手続補正２】
【補正対象書類名】特許請求の範囲
【補正対象項目名】請求項６
【補正方法】変更
【補正の内容】
【請求項６】
前記測定信号としてインパルス入力信号を用いることにより前記シートにインパルス応答となる振動を発生させた場合に、前記シートに着座した着座者が当該振動を体感し続ける時間を振動時間として、当該振動を測定した前記シートの測定位置に対応付けて記録した振動時間情報記録手段を有し、
前記出力信号生成手段は、前記所望位置に対応する前記測定位置の振動時間を前記振動時間情報記録手段より取得して、信号の出力開始から、所定時間より前記振動時間を減算した時間が経過するまでの間は、信号レベルを制限せず、当該時間の経過直後から前記振動時間が経過するまでの間は、信号レベルをゼロに制限した前記出力信号を生成すること
を特徴とする請求項１乃至請求項５のいずれか１項に記載の振動発生装置。
【手続補正３】
【補正対象書類名】特許請求の範囲
【補正対象項目名】請求項７
【補正方法】変更
【補正の内容】
【請求項７】
入力される信号に基づいて当該信号の周波数に応じた周波数の振動を発生する振動発生手段が、シートの内部にあって振動を延設方向に伝達することが可能な振動伝達部材に対して、発生された前記振動を伝達させることにより、前記シートの所望位置に振動を発生させる振動発生装置の振動発生方法であって、
入力される測定信号に基づいて前記振動発生手段で発生された振動を、前記振動伝達部材に伝達させることにより、前記シートに振動を発生させた際の前記測定信号の周波数値を、当該振動を測定した前記シートの測定位置に対応付けて記録した周波数情報記録手段より、出力信号生成手段が、前記所望位置に対応する前記測定位置の周波数値を取得する周波数情報取得ステップと、
該周波数情報取得ステップにおいて取得された前記周波数値を含む出力信号を、前記出力信号生成手段が生成する出力信号生成ステップと、
前記出力信号に基づいて発生された振動を、前記振動発生手段が前記振動伝達部材に伝達させることにより、前記シートの前記所望位置に振動を発生させる振動発生ステップと
を有することを特徴とする振動発生方法。
【手続補正４】
【補正対象書類名】特許請求の範囲
【補正対象項目名】請求項１２
【補正方法】変更
【補正の内容】
【請求項１２】
前記測定信号としてインパルス入力信号を用いることにより前記シートにインパルス応答となる振動を発生させた場合に、前記シートに着座した着座者が当該振動を体感し続ける時間を振動時間として、当該振動を測定した前記シートの測定位置に対応付けて記録した振動時間情報記録手段より、前記出力信号生成手段が、前記所望位置に対応する前記測定位置の振動時間を取得する振動時間情報取得ステップを有し、
前記出力信号生成ステップにおいて、前記出力信号生成手段は、信号の出力開始から、前記振動時間情報取得ステップにおいて取得した前記振動時間を所定時間より減算した時間が経過するまでの間は、信号レベルを制限せず、当該時間の経過直後から前記振動時間が経過するまでの間は、信号レベルをゼロに制限した前記出力信号を生成すること
を特徴とする請求項７乃至請求項１１のいずれか１項に記載の振動発生方法。
【手続補正５】
【補正対象書類名】明細書
【補正対象項目名】００１２
【補正方法】変更
【補正の内容】
【００１２】
上記課題を解決するために、本発明に係る振動発生装置は、入力される信号に基づいて当該信号の周波数に応じた周波数の振動を発生する振動発生手段と、シートの内部にあって振動を延設方向に伝達することが可能な振動伝達部材と、入力される測定信号に基づいて前記振動発生手段で発生された振動を、前記振動伝達部材に伝達させることにより、前記シートに振動を発生させた際の前記測定信号の周波数値を、当該振動を測定した前記シートの測定位置に対応付けて記録した周波数情報記録手段と、前記シートの所望位置に対応する前記測定位置の周波数値を、前記周波数情報記録手段より取得して、当該周波数値を含む出力信号を生成する出力信号生成手段とを有し、前記振動発生手段は、前記出力信号に基づいて発生された振動を、前記振動伝達部材に伝達させることにより、前記シートの前記所望位置に振動を発生させることを特徴とする。
【手続補正６】
【補正対象書類名】明細書
【補正対象項目名】００１３
【補正方法】変更
【補正の内容】
【００１３】
また、本発明に係る振動発生方法は、入力される信号に基づいて当該信号の周波数に応じた周波数の振動を発生する振動発生手段が、シートの内部にあって振動を延設方向に伝達することが可能な振動伝達部材に対して、発生された前記振動を伝達させることにより、前記シートの所望位置に振動を発生させる振動発生装置の振動発生方法であって、入力される測定信号に基づいて前記振動発生手段で発生された振動を、前記振動伝達部材に伝達させることにより、前記シートに振動を発生させた際の前記測定信号の周波数値を、当該振動を測定した前記シートの測定位置に対応付けて記録した周波数情報記録手段より、出力信号生成手段が、前記所望位置に対応する前記測定位置の周波数値を取得する周波数情報取得ステップと、該周波数情報取得ステップにおいて取得された前記周波数値を含む出力信号を、前記出力信号生成手段が生成する出力信号生成ステップと、前記出力信号に基づいて発生された振動を、前記振動発生手段が前記振動伝達部材に伝達させることにより、前記シートの前記所望位置に振動を発生させる振動発生ステップとを有することを特徴とする。
【手続補正７】
【補正対象書類名】明細書
【補正対象項目名】００１５
【補正方法】変更
【補正の内容】
【００１５】
本発明に係る振動発生装置および振動発生方法では、入力される測定信号に基づいて振動発生手段で発生された振動を、振動伝達部材に伝達させることにより、シートに振動を発生させる。振動を発生させる場合には、振動を発生させた際の測定信号の周波数値を、シートにおいて振動を測定した測定位置に対応付けて、周波数情報記録手段に記録させる。周波数情報記録手段より、所望位置に対応する測定位置の周波数値を取得して、取得した周波数値を含む出力信号を生成して、振動発生手段より振動を発生させる。
【手続補正８】
【補正対象書類名】明細書
【補正対象項目名】００１６
【補正方法】変更
【補正の内容】
【００１６】
このようにして、所望位置に対応する測定位置の周波数値を周波数情報記録手段より取得し、取得された周波数値を含む出力信号を生成して、振動発生手段より振動を発生する。これにより、シートの内部に振動伝達部材が延設される構造であっても、シートの所望位置に振動を発生させることが可能になる。また、振動を発生させる場合には、当該振動の振動レベルが最も高かった測定信号の周波数値を、シートにおいて振動を測定した測定位置に対応付けて、周波数情報記録手段に記録させるようにしてもよい。
【手続補正９】
【補正対象書類名】明細書
【補正対象項目名】００２７
【補正方法】変更
【補正の内容】
【００２７】
また、上述した振動発生装置は、前記測定信号としてインパルス入力信号を用いることにより前記シートにインパルス応答となる振動を発生させた場合に、前記シートに着座した着座者が当該振動を体感し続ける時間を振動時間として、当該振動を測定した前記シートの測定位置に対応付けて記録した振動時間情報記録手段を有し、前記出力信号生成手段は、前記所望位置に対応する前記測定位置の振動時間を前記振動時間情報記録手段より取得して、信号の出力開始から、所定時間より前記振動時間を減算した時間が経過するまでの間は、信号レベルを制限せず、当該時間の経過直後から前記振動時間が経過するまでの間は、信号レベルをゼロに制限した前記出力信号を生成するものであってもよい。
【手続補正１０】
【補正対象書類名】明細書
【補正対象項目名】００２８
【補正方法】変更
【補正の内容】
【００２８】
また、上述した振動発生方法は、前記測定信号としてインパルス入力信号を用いることにより前記シートにインパルス応答となる振動を発生させた場合に、前記シートに着座した着座者が当該振動を体感し続ける時間を振動時間として、当該振動を測定した前記シートの測定位置に対応付けて記録した振動時間情報記録手段より、前記出力信号生成手段が、前記所望位置に対応する前記測定位置の振動時間を取得する振動時間情報取得ステップを有し、前記出力信号生成ステップにおいて、前記出力信号生成手段は、信号の出力開始から、前記振動時間情報取得ステップにおいて取得した前記振動時間を所定時間より減算した時間が経過するまでの間は、信号レベルを制限せず、当該時間の経過直後から前記振動時間が経過するまでの間は、信号レベルをゼロに制限した前記出力信号を生成するものであってもよい。
【手続補正１１】
【補正対象書類名】明細書
【補正対象項目名】００３２
【補正方法】変更
【補正の内容】
【００３２】
本発明に係る振動発生装置および振動発生方法では、入力される測定信号に基づいて振動発生手段で発生された振動を、振動伝達部材に伝達させることにより、シートに振動を発生させる。振動を発生させる場合には、振動を発生させた際の測定信号の周波数値を、シートにおいて振動を測定した測定位置に対応付けて、周波数情報記録手段に記録させる。周波数情報記録手段より、所望位置に対応する測定位置の周波数値を取得して、取得した周波数値を含む出力信号を生成して、振動発生手段より振動を発生させる。